(57)【要約】      （修正有）【課題】後頭部の特定箇所への集中的な圧迫を抑え、高さ調整可能な枕を提供する。【解決手段】枕１０は、表面となる表地１１と、表地１１に対向配置した第１裏地１２と、表地１１と第１裏地１２との間に形成される袋内に詰め込んだ詰め物１３と、表地１１から第１裏地１２に向けて形成した凹み部１０１と、第１裏地１２に対向配置した第２裏地１４と、第１裏地１２と第２裏地１４との間に形成され、外部との出し入れが可能な開口を備えた収納部１７と、収納部１７に収納可能な高さ調整用パッド１６と、を備えている。【選択図】図４
0003214797.tif 000002
【実用新案登録請求の範囲】
【請求項１】
表面となる表地と、
前記表地に対向配置した第１裏地と、
前記表地と前記第１裏地との間に形成される袋内に詰め込んだ詰め物と、
前記表地から前記第１裏地に向けて形成した凹み部と、
前記第１裏地に対向配置した第２裏地と、
前記第１裏地と第２裏地との間に形成され、外部との出し入れが可能な開口を備えた収納部と、
前記収納部に収納可能な高さ調整用パッドと、
を備えたことを特徴とする枕。
【請求項２】
前記高さ調整用パッドは、複数備えられていることを特徴とする請求項１に記載の枕。
【請求項３】
前記凹み部は、前記詰め物をせずにマチ布により形成したことを特徴とする請求項１又は請求項２に記載の枕。
【請求項４】
前記凹み部は、該凹み部の周囲に比して前記詰物量を少なくして形成したことを特徴とする請求項１請求項１又は請求項２に記載の枕。
【請求項５】
前記複数の高さ調整用パッドは、異なる厚みとしたことを特徴とする請求項２乃至請求項４のいずれか一項に記載の枕。
【請求項６】
前記複数の高さ調整用パッドは、異なる硬さとしたことを特徴とする請求項２乃至請求項５のいずれか一項に記載の枕。
【請求項７】
前記収納部の開口は、前記第１裏地と第２裏地とが一部重なる合わせ部によって形成されていて、前記合わせ部は、前記凹み部に対向して位置していることを特徴とする請求項１乃至請求項６のいずれか一項に記載の枕。
【請求項８】
前記収納部の開口は、手を差し入れることが可能であり、前記凹み部は、前記差し入れられた手によって支えることが可能であることを特徴とする請求項１乃至請求項７のいずれか一項に記載の枕。
【請求項９】
請求項１乃至請求項８のいずれか一項に記載の枕と、
前記枕を収納するホルムアルデヒドが含まれない収納袋と、
を備えたことを特徴とする枕セット。
【考案の詳細な説明】
【技術分野】
【０００１】
この考案は、後頭部への集中的な圧迫を抑え、高さ調整可能な枕及びその枕セットに関する。
【背景技術】
【０００２】
従来、寝姿勢への対応が容易で、使用時に変形の生じない枕は、ウレタンフォームを成形してなる凹部を有する基底芯部材と、この凹部に嵌合する独立したセルとを袋状部材で被覆するもので、各人の好みに応じて枕の高さ、硬さの調整が容易であり、使用時、収納時にも型崩れ等の不具合がないようにしている（例えば、特許文献１）。
【０００３】
また、頭頂支持部と首当接部との間に凹み部を設けた乳幼児用枕は、頭頂支持部を水分吸排出機能を有する仕切り布により上下に吸湿機能室と排湿機能室に分け、凹み部、吸湿機能室と首当接室とに吸湿性綿を充填し、排湿機能室に柔軟なパイプ状詰め物を充填している（例えば、特許文献２）。
【先行技術文献】
【特許文献】
【０００４】
【特許文献１】特開２００７−８２５９０号公報
【特許文献２】特開２００６−２３９０４７号公報
【考案の概要】
【考案が解決しようとする課題】
【０００５】
上記した特許文献１の技術は、枕の表面に形成された凹部には詰め物が嵌合されており、後頭部の特定箇所への圧迫が生じ、乳幼児や自力での寝返りが難しい利用者には頭髪の特定部分の抜けにつながるという課題がある。また、乳幼児においては、後頭部の扁平を来してしまうという課題が生じる。
【０００６】
上記した特許文献２の技術は、凹み部を設けた乳幼児用枕ではあるが、枕の高さ調整についての言及はなく、使用者に最適な利用環境が得られないという課題がある。
この考案の目的は、乳幼児や自力での寝返りが困難な利用者に相応しい枕を提供することにある。
【課題を解決するための手段】
【０００７】
上記した課題を解決するために、この考案の枕は、表面となる表地と、前記表地に対向配置した第１裏地と、前記表地と前記第１裏地との間に形成される袋内に詰め込んだ詰め物と、前記表地から前記第１裏地に向けて形成した凹み部と、前記第１裏地に対向配置した第２裏地と、前記第１裏地と第２裏地との間に形成され、外部との出し入れが可能な開口を備えた収納部と、前記収納部に収納可能な高さ調整用パッドと、を備えている。
【考案の効果】
【０００８】
この考案によれば、乳幼児や自力での寝返りが難しい使用者が簡単に高さ調整が可能であるとともに、後頭部への圧迫分散を行い、特定箇所への集中的な圧迫を抑えることが可能となる。
【図面の簡単な説明】
【０００９】
【図１】この考案の枕にかかる実施形態１について説明する斜視図を示す。
【図２】図１の概略的な分解斜視図を示す。
【図３】（ａ）は図１の正面図を示し、（ｂ）は図１の裏面図を示す。
【図４】図３（ａ）ＡＡ−ＡＢ線の断面図を示す。
【図５】図３（ａ）ＢＡ−ＢＢ線の断面図を示す。
【図６】実施形態１の枕の使用状態について説明するための正面図を示す。
【図７】図６の一部を断面にした状態の側面図を示す。
【図８】図７の右側から見て一部を断面にして示す側面図を示す。
【図９】実施形態１の枕を裏側から見た状態の斜視図を示す。
【図１０】実施形態１の枕の高さ調整用パッドの収納する手順について説明するための図を示す。
【図１１】実施形態１の枕の調整用パッドによる高さの調整例について説明するための図を示す。
【図１２】この考案の枕にかかる実施形態２について説明するための概略的な分解斜視図を示す。
【考案を実施するための形態】
【００１０】
以下、この考案を実施するための形態について、図面を参照しながら詳細に説明する。
（実施形態１）
図１は、この考案の枕にかかる実施形態１について説明するための斜視図を示す。図１は丸型のたとえば乳幼児用の枕１０を示す。枕１０の表地１１の使用者の肩に近い側には、後述する凹み部１０１が形成されている。
【００１１】
図２（ａ）乃至（ｄ）は、図１の概略的な分解斜視図を示す。図２（ａ）は表面となる表地１１を示し、（ｃ）は（ａ）の裏側に取り付けられる第１裏地１２を示す。（ｂ）は表地１１と第１裏地１２の間に詰め込む柔らかな詰め物１３を示す。（ｄ）は枕１０の裏側となる第２裏地１４を示す。
【００１２】
図２に示すように、枕１０は、直径が２０ｃｍ〜２５ｃｍ、具体的には２３ｃｍ程度であり、同形の表地１１と第１裏地１２とその中間の詰め物１３と第２裏地１４を四重に重ねられている。布製の表地１１と柔らかな布状の第１裏地１２と柔らかな布状の第２裏地１４の周縁は、縫製１５を行う（図３参照）ことで、袋体を構成している。
【００１３】
さらに、枕１０には、環状に表地１１と第１裏地１２間に詰め物１３を入れた状態で縫着して環状区画の内部に凹み部１０１が形成される。凹み部１０１の直径は、たとえば５ｃｍ程度である。凹み部１０１は、乳幼児の後頭部支え部とする。凹み部１０１の形成位置は、乳幼児使用時の肩に枕１０を当てた状態の枕１０の端部１０ａから後頭部が当たるたとえば５ｃｍ程度の位置に形成する。
【００１４】
凹み部１０１は、詰め物１３をせずにマチ布により形成してもよい。凹み部１０１の詰め物１３は、その周囲に比して詰物量を少なくし、凹みを形成している。未使用時における凹み部１０１の深さは、たとえば２ｃｍ程度とする。
【００１５】
枕１０の表地１１は、たとえば綿素材の経編メリヤスのような肌触りが良く、通気性に富んだ素材を使用する。第１裏地１２は、通気性に富んだ網目状のポリエステルを使用する。
詰め物１３は、通気性に富んだたとえば合成樹脂製のクッション性を有する素材を使用する。
【００１６】
枕１０の第２裏地１４は、通気性に富んだ第１裏地１２と同様の網目状のポリエステルを使用する。図２（ｄ）に示すように、第２裏地１４は、裏地１４ａ，１４ｂから構成されている。裏地１４ａと１４ｂは、一部を重ねて形成される合わせ部１４ｃを備えている。合わせ部１４ｃの裏地１４ａの端部１４１と合わせ部１４ｃの裏地１４ｂの端部１４２は、フリーの状態にある。表地１１と第１裏地１２と第２裏地１４の周縁は、縫製１５が施されている。
【００１７】
したがって、第１裏地１２と第２裏地１４は、縫製１５を施したときに、袋状の収納部１７を構成する。収納部１７は、凹み部１０１に対して縦方向の端部１４１，１４２を介して後述するパッド１６の出し入れを実現する。また、収納部１７におけるパッド１６を出し入れする後述する開口Ｏａは、第１裏地１２と第２裏地１４とが一部重なる合わせ部１４ｃによって形成されている。この合わせ部１４ｃは、凹み部１０１に対向して位置している（図３及び図１０参照）。
図３（ａ）は枕１０の平面図を示し、（ｂ）は裏面図を示す。図４は図３（ａ）のＡＡ−ＡＢ線断面を示し、図５は図３（ａ）のＢＡ−ＢＢ線断面を示す。
【００１８】
図４、図５では、収納部１７に高さ調整部材となる１枚の高さ調整用パッド１６が収納された状態を示す。パッド１６は、所定の厚みを有し、たとえば第１裏地１２や第２裏地１４と同じように、通気性に富み柔軟性を有する網目状のポリエステルを使用する。本実施形態では、複数、具体的には２枚のパッド１６が用意されている。
【００１９】
パッド１６は、たとえば少なくとも２枚の素材を重ねその周縁を縫製したものを１枚として使用してもよい。つまり、複数枚の素材から構成された場合でも、一纏めにしたものであれば１枚として考える。収納部１７には、パッド１６を使用しない、あるいは１枚以上のパッド１６を収納することで、枕１０の高さ調整を行うことができる。
【００２０】
また、パッド１６は、同素材の厚みを変更して硬さを変更することにより枕１０の高さ調整に加え、硬さの調整も可能となる。異なる硬さの素材を使用することにより高さの変更と硬さの調整も可能となる。さらにパッド１６には、安眠を促進する効能のある香料を含有させてもよい。複数のパッド１６が用意された場合は、バッド１６の厚みや硬さの異なるものとしてもよい。
【００２１】
図６乃至図８は、乳幼児がこの考案の枕を使用する場合の使用状態を示す。図６は正面図を示し、図７は一部を断面にして示す図６の側面図を示す。図８は、図７の右側から見て一部を断面にして示す側面図を示す。
【００２２】
図６は、乳幼児Ｂの頭部Ｈｂを上向きで枕１０の略中央に載置させた状態を示す。図７のように、この状態での乳幼児Ｂの頭部Ｈｂと体躯Ｄｂを結ぶ線Ｌは、水平線Ｌｈから一定の角度θをなす状態に保持される。水平線Ｌｈは、敷布団ＭＴの表面でもある。乳幼児Ｂにおける角度θの値としては、５°〜２０°の範囲内である。
【００２３】
このように、線Ｌが、水平線Ｌｈから一定の角度θをなす状態に保持されるように調整する。これにより、授乳直後においても所謂「吐き戻し」、「げっぷ」、「鼻詰まり」等の諸現象の防止が可能となる。また、第１裏地１２と第２裏地１４とが一部重なる合わせ部１４ｃが凹み部１０１に対向して位置しているので、頭部Ｈｂを安定して保持することが期待できる。つまり、合わせ部１４ｃと凹み部１０１とがずれて位置される場合には、凹み部１０１の周囲の高さに変動を来す可能性が生じる。
【００２４】
図８は、角度θをなす状態に保持されるように調整された状態における乳幼児Ｂの後頭部が凹み部１０１にかかる圧迫の状態を示す。図７に示すように、乳幼児Ｂの矢印で示す中央後頭部Ｐｃ、右後頭部Ｐｒ、左後頭部Ｐｌは、凹み部１０１に対してほぼ均一な圧迫がかかる状態となる。したがって、後頭部には、分散した状態で凹み部１０１に支えられることになる。
【００２５】
このように、後頭部に対する圧迫が分散された状態で凹み部１０１に支えられる乳幼児Ｂは、後頭部の特定箇所の頭髪抜けが防止されるとともに、後頭部が扁平になることを防止することが可能となる。
【００２６】
図９及び図１０は、パッド１６の収納部１７への収納について説明するためのものである。図９は、枕１０を第２裏地１４側から見た状態の斜視図を示す。図１０は、パッド１６を第２裏地１４の収納部１７に収納する手順について説明するための説明図である。
【００２７】
図９において、柔らかな第２裏地１４を構成する裏地１４ａの端部１４１の中央を図に示すように、裏地１４ａの弾性に抗して引き上げる。これにより裏地１４ｂとの間には開口が形成され、パッド１６の挿入が可能となる。
図１０（ａ）乃至（ｄ）を参照し、パッド１６を収納部１７への収納の仕方についてさらに説明する。
【００２８】
図１０（ａ）では、図９において説明した端部１４１を、裏地１４ａの弾性に抗して引き上げて開口Ｏａを作る。開口Ｏａは、パッド１６の出入り口となる。また、開口Ｏａは、凹み部１０１に対して縦方向に形成される。
【００２９】
次に、図１０（ｂ）において、開口Ｏａからパッド１６の先端を挿入するとともに、さらに端部１４２を、裏地１４ｂの弾性に抗して引き上げて開口Ｏｂを作る。さらにパッド１６は、開口Ｏａを介して図中の破線白抜きの矢印ａ１に沿って、開口Ｏｂから収納部１７の奥側に位置するまで差し入れる。なお、パッド１６の一端側を開口Ｏａから矢印ａ２に沿って差し入れ、パッド１６を折り曲げて他端側を開口Ｏｂから矢印ａ３に沿って差し入れるようにしてもよく、パッド１６の収納部１７への収納方法は、適宜選択できる。
【００３０】
図１０（ｃ）において、パッド１６の終端が開口Ｏａを通過した時点で、端部１４１，１４２の引き上げを停止する。これにより、裏地１４ａ，１４ｂは、引き上げの弾性に抗することから解かれ、開口Ｏａ，Ｏｂはそれぞれ閉じられる。
【００３１】
このように図１０（ａ）乃至（ｃ）の手順を経てパッド１６を収納部１７に収納することができる。枕１０は、収納部１７に収納されるパッド１６により高さ調整を行うことができる。
図１１（ａ）乃至（ｃ）は、パッド１６による枕１０の高さ調整の具体例について説明するための説明図である。
【００３２】
図１１（ａ）は、パッド１６の未使用の状態を示す。この場合の乳幼児Ｂの頭部Ｈｂと体躯Ｄｂを結ぶ線Ｌは、水平線Ｌｈから一定の角度θ１をなす状態となる。
【００３３】
図１１（ｂ）は、パッド１６を１枚、収納部１７に収納した状態を示す。この場合の頭部Ｈｂと体躯Ｄｂを結ぶ線Ｌは、水平線Ｌｈから一定の角度θ２をなす状態となる。
【００３４】
図１１（ｃ）は、パッド１６を２枚、収納部１７に収納した状態を示す。この場合の頭部Ｈｂと体躯Ｄｂを結ぶ線Ｌは、水平線Ｌｈから一定の角度θ３をなす状態となる。
【００３５】
図１１（ａ）乃至（ｃ）のパッド１６による角度θ１乃至θ３の関係は、θ１＜θ２＜θ３となる。すなわち、パッド１６がない状態からパッド１６の枚数が増えるに従い、水平線Ｌｈからなす線Ｌの角度θは、漸次大きくなる。角度θの調整は、枕１０使用者が乳幼児の場合「吐き戻し」、「げっぷ」、「鼻詰まり」等の現象により調整する。利用者は、調整により安眠の確保に寄与することが可能となる。枕１０の最適な角度θは、凹み部１０１とさらには利用者の後頭部の形状との兼ね合いで決定される。利用者が成人の場合の角度は、「鼻詰まり」のほかに、「寝息」等の考慮も入れた場合も、調整の根拠として考えられる。
【００３６】
この実施形態では、後頭部の特定箇所への圧迫集中を抑えながら、任意に枕の高さ調整を行うことができ、セミオーダータイプの枕１０を実現することができる。また、枕１０は、ミトン型になっているので、例えば、乳幼児を枕１０とともに抱っこして、そのまま布団に寝かせることができる。具体的には、親が枕１０の裏地１４ａの端部１４１の開口Ｏａから手を差し入れて、その手で凹み部１０１を支持し乳幼児の後頭部を支えて抱っこすることが可能で、枕１０で後頭部を支え抱っこした状態のまま布団に寝かせることができる。
（実施形態２）
【００３７】
図１２は、実施形態２について説明するための枕１０の分解斜視図である。図１２（ａ）は枕の斜視図、（ｂ）は枕の裏面側の斜視図、（ｃ）は高さ調整用のパッドを示す斜視図である。基本的な構成は実施形態１と同様である。なお、実施形態１と同一の機能を備える部分には同一の符号を付して説明する。
【００３８】
実施形態１では、丸型の乳幼児に適する枕１０とした。この実施形態２では、長方形型とし、幼児から子供用に適するものである。この場合の表地１１と第１裏地１２とその中間の詰め物１３と第２裏地１４は、長方形型に形成されている。表地１１と第１裏地１２と詰め物１３と第２裏地１４は、四重に重ねられ枕１０を構成している。
【００３９】
図１２（ｃ）に示すようにパッド１６は、表地１１等の部材と同じように長方形型としている。この実施形態の枕１０においても、パッド１６を図１２（ｂ）に示す裏地１４ａの端部１４１から出し入れすることにより高さの調整を行う。
【００４０】
この実施形態においても、凹み部１０１で後頭部の特定箇所への圧迫集中を抑えながら、パッド１６の出し入れにより枕１０の高さ調整を任意に実現することができる。
【００４１】
上記の各実施形態のパッド１６は、複数枚重ねを一纏めにしたものを一枚とした説明をしたが、一纏めの中には板状のスポンジなどを介在させたものであってもよい。また、収納部１７へパッド１６を出し入れする構成は、ファスナー、ボタン、ホックによる止め構造であってもよい。
【００４２】
さらに、上記実施形態では、乳幼児用や子供用の枕を例に挙げている。枕１０は、乳幼児用や子供用に加えて、たとえば寝返りが不自由な人に対しても有用である。
【００４３】
なお、例えば、枕１０の販売時には、収納袋としてその素材に有害性のあるホルムアルデヒドが含まれないビニール袋を用意し、この袋に枕１０を入れて購入者に持ち帰ってもらうのが好ましい。つまり、枕１０と前記収納袋とはセットとして扱われる。
【００４４】
いくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、組み合わせ、変更を行うことができる。これら実施形態やその変形は、考案の範囲や要旨に含まれるとともに、実用新案登録請求の範囲に記載された考案とその均等の範囲に含まれる。
【符号の説明】
【００４５】
１０  枕
１０１  凹み部
１１  表地
１２  第１裏地
１３  詰め物
１４  第２裏地
１４ａ，１４ｂ  裏地
１４ｃ  合わせ部
１４１，１４２  端部
１５  縫製
１６  パッド
１７  収納部
Ｏａ，Ｏｂ  開口
【図１】
0003214797.tif 000003
【図２】
0003214797.tif 000004
【図３】
0003214797.tif 000005
【図４】
0003214797.tif 000006
【図５】
0003214797.tif 000007
【図６】
0003214797.tif 000008
【図７】
0003214797.tif 000009
【図８】
0003214797.tif 000010
【図９】
0003214797.tif 000011
【図１０】
0003214797.tif 000012
【図１１】
0003214797.tif 000013
【図１２】
0003214797.tif 000014
【手続補正書】
【提出日】平成29年12月1日(2017.12.1)
【手続補正１】
【補正対象書類名】実用新案登録請求の範囲
【補正対象項目名】請求項４
【補正方法】変更
【補正の内容】
【請求項４】
前記凹み部は、該凹み部の周囲に比して前記詰物量を少なくして形成したことを特徴とする請求項１又は請求項２に記載の枕。
【手続補正２】
【補正対象書類名】実用新案登録請求の範囲
【補正対象項目名】請求項５
【補正方法】変更
【補正の内容】
【請求項５】
前記複数の高さ調整用パッドは、異なる厚みとしたことを特徴とする請求項２に記載の枕。
【手続補正３】
【補正対象書類名】実用新案登録請求の範囲
【補正対象項目名】請求項６
【補正方法】変更
【補正の内容】
【請求項６】
前記複数の高さ調整用パッドは、異なる硬さとしたことを特徴とする請求項２に記載の枕。